(57)【要約】【課題】インクカートリッジの使用量に応じてユーザに対して特典を還元することができる記録装置の構成および特典還元システムを提供する。【解決手段】記録装置Ｐには、未使用のインクカートリッジが装着された場合に、未使用のインクカートリッジの装着回数を計数する累積インクカートリッジカウンタ６９が備えられている。前記カウンタ６９の計数値が所定の値となった場合に、ホストコンピュータ６０におけるプリンタドライバ６１により、ユーザに還元する特典情報が編集される。ユーザはインターネット交信ソフト７１を起動して特典情報を運用管理者側に送信することで、運用管理者側から特典が還元される。ユーザはインクカートリッジの使用実績に応じた特典を享受することができると共に、運用管理者側はカートリッジの使用実績に基づく各種の有益なデータを取得することができる。【選択図】図５
2008024007.tif 000002
【特許請求の範囲】
【請求項１】
印刷データに基づく駆動信号によってインク滴を吐出し、記録用紙に対して印刷を行うインクジェット式記録ヘッドと、着脱可能に装着され前記記録ヘッドに対してインクを供給するインクカートリッジを備えたインクジェット式記録装置であって、
前記記録装置に未使用のインクカートリッジが装着された場合に、未使用のインクカートリッジの装着回数を計数する累積インクカートリッジカウンタを具備したことを特徴とするインクジェット式記録装置。
【請求項２】
前記インクカートリッジが装着された場合に、未使用のインクカートリッジであるか否かを判別する判別手段と、未使用のインクカートリッジであると判定された場合において、前記累積インクカートリッジカウンタの計数値をインクリメントする制御手段をさらに具備してなる請求項１に記載のインクジェット式記録装置。
【請求項３】
前記判別手段は、インクカートリッジに搭載された記憶手段から読み出される情報に基づいて、未使用のインクカートリッジであるか否かを判別するように構成した請求項２に記載のインクジェット式記録装置。
【請求項４】
前記インクカートリッジに搭載された記憶手段には、記録装置に装着した場合において、未使用のインクカートリッジではないことを示すフラグ情報が格納されるように構成した請求項３に記載のインクジェット式記録装置。
【請求項５】
前記累積インクカートリッジカウンタの計数値を表示する表示手段を具備してなる請求項１ないし請求項４のいずれかに記載のインクジェット式記録装置。
【請求項６】
前記累積インクカートリッジカウンタの計数値が、所定の値に達した時に、その情報を表示する表示手段を具備してなる請求項１ないし請求項４のいずれかに記載のインクジェット式記録装置。
【請求項７】
前記表示手段として、ホストコンピュータに搭載されたプリンタドライバのユーティリティ上おいて表示制御されるディスプレイを利用するように構成した請求項５または請求項６に記載のインクジェット式記録装置。
【請求項８】
前記累積インクカートリッジカウンタの計数値が所定の値に達し、その情報を前記表示手段によって表示した場合において、前記累積インクカートリッジカウンタの計数値をリセットするリセット手段を備えた請求項６に記載のインクジェット式記録装置。
【請求項９】
前記累積インクカートリッジカウンタを備えた請求項１ないし請求項８のいずれかに記載のインクジェット式記録装置を用いるユーザに対して、前記累積インクカートリッジカウンタの計数値に応じて特典を与えることができる特典還元システムであって、
前記累積インクカートリッジカウンタの計数値に応じて特典情報を編集する編集手段と、前記編集手段により編集された特典情報を印刷出力することができる印刷制御手段とを備えたことを特徴とする特典還元システム。
【請求項１０】
前記累積インクカートリッジカウンタを備えた請求項１ないし請求項８のいずれかに記載のインクジェット式記録装置を用いるユーザに対して、前記累積インクカートリッジカウンタの計数値に応じて、当該記録装置のユーザに対して特典を与えることができる特典還元システムであって、
前記累積インクカートリッジカウンタの計数値に応じて特典情報を編集する編集手段と、前記編集手段により編集された特典情報を通信回線を介して運用管理者側に送信することができる通信手段とを備えたことを特徴とする特典還元システム。
【請求項１１】
前記編集手段が、ホストコンピュータに搭載されたプリンタドライバのユーティリティ上おいて構築されてなる請求項９または請求項１０に記載の特典還元システム。
【請求項１２】
前記編集手段により編集された特典情報は、１回限り印刷出力できるようになされた請求項９または請求項１１に記載の特典還元システム。
【請求項１３】
前記編集手段により編集する特典情報には、少なくとも前記累積インクカートリッジカウンタの計数値に対応する情報が含まれる請求項９ないし請求項１２のいずれかに記載の特典還元システム。
【請求項１４】
前記編集手段により編集する特典情報には、前記記録装置に固有に割り当てられたプリンタＩＤコードに対応する情報と、装着された各インクカートリッジに固有に割り当てられたカートリッジＩＤコードに対応する情報がさらに含まれる請求項１３に記載の特典還元システム。
【発明の詳細な説明】
【技術分野】
【０００１】
この発明は、インクカートリッジの使用個数を計数し、カートリッジの使用個数に応じてユーザに特典を還元するようにしたインクジェット式記録装置およびインクカートリッジの使用量に応じた特典還元システムに関する。
【背景技術】
【０００２】
例えばシリアルプリンティング方式のインクジェット式記録装置は、キャリッジに搭載されて記録用紙の幅方向（主走査方向）に往復移動する記録ヘッドと、記録用紙を記録ヘッドの移動方向に対して直交する方向（副走査方向）に搬送させる紙送り手段が備えられ、印刷データに基づいて記録ヘッドよりインク滴を吐出することで記録用紙に対して印刷が行われる。
【０００３】
前記したインクジェット式記録装置においては、記録ヘッドに対してインクを供給するために、インクカートリッジが着脱可能となるように配置されており、当該インクカートリッジ内のインクがエンド状態となった場合においては、周知のとおり、新たなインクカートリッジに交換することで、引き続き印刷動作を実行することができるようになされている。
【０００４】
この場合、比較的印刷量が少ない主にホームユーズとしての記録装置においては、前記インクカートリッジはキャリッジ上に着脱可能に装着され、キャリッジに搭載された記録ヘッドに対してインクを供給するようになされる。また、比較的印刷量が多い主にオフィス向けまたは業務用として利用される記録装置においては、前記インクカートリッジは記録装置本体側に着脱可能に装着され、当該インクカートリッジより、可撓性のインク供給チューブを介してキャリッジに搭載された記録ヘッドに対してインクを供給するようになされる。
【発明の開示】
【発明が解決しようとする課題】
【０００５】
ところで、前記したような記録装置を利用した場合に使用されるインクカートリッジの数は、その印刷動作の稼働時間に応じて増大する。特に昨今においては、例えばデジタルカメラで撮像した画像データを顧客から預かり、インクジェット式記録装置を用いて画像データを印刷して顧客に提供する商形態も出現している。この様な業務に前記記録装置を用いるような場合においては、多数のインクカートリッジを使用することになる。
【０００６】
したがって、前記したようなインクカートリッジの大口ユーザに対しては、例えばインクカートリッジの使用量に応じて特典を還元するような運用方法を採用しても、十分に採算をとることができる。また、インクカートリッジの大口ユーザのみならず、記録装置を主にホームユーズとして使用しているようなカートリッジの小口ユーザにおいても、その使用実態および動向を把握することで、例えばインクカートリッジの種類やインクの色等に応じたカートリッジの製造供給計画あるいは商品企画等に生かすことができる。したがって、前記した様な情報を取得することは、インクカートリッジの供給側または記録装置の製造供給側においても、大きなメリットを見いだすことができる。
【０００７】
この発明は、前記した点に着目してなされたものであり、インクカートリッジの使用量に応じてユーザに対して特典を還元するようにするために、これを管理することができるインクジェット式記録装置を提供することを目的とするものであり、また、前記記録装置より得られるインクカートリッジの使用情報を取得し、これに応じてユーザに対して特典を還元する特典還元システムを提供することを目的とするものである。
【課題を解決するための手段】
【０００８】
前記した目的を達成するためになされたこの発明にかかるインクジェット式記録装置は、印刷データに基づく駆動信号によってインク滴を吐出し、記録用紙に対して印刷を行うインクジェット式記録ヘッドと、着脱可能に装着され前記記録ヘッドに対してインクを供給するインクカートリッジを備えたインクジェット式記録装置であって、前記記録装置に未使用のインクカートリッジが装着された場合に、未使用のインクカートリッジの装着回数を計数する累積インクカートリッジカウンタを具備した点に特徴を有する。
【０００９】
この場合、前記インクカートリッジが装着された場合に、好ましくは未使用のインクカートリッジであるか否かを判別する判別手段と、未使用のインクカートリッジであると判定された場合において、前記累積インクカートリッジカウンタの計数値をインクリメントする制御手段をさらに具備した構成とされる。
【００１０】
そして、好ましい実施の形態においては、前記判別手段はインクカートリッジに搭載された記憶手段から読み出される情報に基づいて、未使用のインクカートリッジであるか否かを判別するように構成される。この場合、前記インクカートリッジに搭載された記憶手段には、好ましくは記録装置に装着した場合において、未使用のインクカートリッジではないことを示すフラグ情報が格納されるように構成される。
【００１１】
また、前記累積インクカートリッジカウンタの計数値を必要に応じて表示することができる表示手段を具備することが望ましく、さらに、前記累積インクカートリッジカウンタの計数値が、所定の値に達した時に、その情報を前記表示手段によって表示するように構成されていることが望ましい。
【００１２】
この場合、好ましくは前記表示手段として、ホストコンピュータに搭載されたプリンタドライバのユーティリティ上おいて表示制御されるディスプレイを利用するように構成される。加えて、前記した累積インクカートリッジカウンタの計数値が所定の値に達し、その情報を前記表示手段によって表示した場合においては、前記累積インクカートリッジカウンタの計数値をリセットするリセット手段を備えた構成とされる。
【００１３】
前記した構成の記録装置によると、累積インクカートリッジカウンタにより、未使用状態のインクカートリッジの装着回数が計数される。この場合、インクカートリッジには、例えばＥＥＰＲＯＭ等の半導体記憶素子が搭載されており、この記憶素子には未使用のインクカートリッジであるか否かを識別する装着フラグが格納されており、記録装置は前記装着フラグを参照する。この装着フラグが未使用であること示す場合（例えばフラグがＯＦＦである場合）においては、前記累積インクカートリッジカウンタの計数値をインクリメントする。
【００１４】
そして、記録装置は前記半導体記憶素子に対して書き替え信号を送出し、半導体記憶素子に構築された前記装着フラグを未使用ではないことを示す状態（フラグをＯＮ状態）に更新する。この構成によって、記録装置は未使用のインクカートリッジが装着された個数、すなわち記録装置によって使用されたインクカートリッジの数を計数することができる。また、記録装置は前記した累積インクカートリッジカウンタの計数値を監視しており、この計数値が所定の値に達した時に、例えばホストコンピュータに接続されたディスプレイによって、その情報を表示するようになされる。
【００１５】
一方、この発明にかかる特典還元システムの好ましい形態においては、前記した累積インクカートリッジカウンタを備えた記録装置が利用され、この記録装置を用いるユーザに対して、前記累積インクカートリッジカウンタの計数値に応じて特典を与えることができるようになされる。この場合、前記累積インクカートリッジカウンタの計数値に応じて特典情報を編集する編集手段と、前記編集手段により編集された特典情報を印刷出力することができる印刷制御手段が具備される。
【００１６】
また、この発明にかかる特典還元システムの他の好ましい形態においては、同じく累積インクカートリッジカウンタを備えた記録装置が利用され、前記累積インクカートリッジカウンタの計数値に応じて特典情報を編集する編集手段と、前記編集手段により編集された特典情報を通信回線を介して運用管理者側に送信することができる通信手段とが備えられる。
【００１７】
前記したいずれの形態であっても、前記編集手段がホストコンピュータに搭載されたプリンタドライバのユーティリティ上おいて構築されていることが望ましい。この場合、特に前者の特典還元システムにおいては、好ましくは前記編集手段により編集された特典情報は、１回限り印刷出力できるように管理される。
【００１８】
加えて、前記編集手段により編集する特典情報には、少なくとも前記累積インクカートリッジカウンタの計数値に対応する情報が含まれる。さらに好ましくは、前記編集手段により編集する特典情報には、前記記録装置に固有に割り当てられたプリンタＩＤコードに対応する情報と、装着された各インクカートリッジに固有に割り当てられたカートリッジＩＤコードに対応する情報が含まれる。
【００１９】
前記した前者の特典還元システムによると、記録装置に搭載された累積インクカートリッジカウンタの計数値に応じて特典情報が編集され、これが記録装置によって印刷出力するようになされる。この印刷出力はいわゆる金券として運用され、契約販売店等において例えばインクカートリッジまたは専用紙などの希望の商品と引き換えることができる。
【００２０】
また、前記した後者の特典還元システムによると、累積インクカートリッジカウンタの計数値に応じて編集された特典情報は、例えばインターネット等の通信回線を介して運用管理者側に送信される。そして、運用管理者側においては前記特典情報を取得することで、前記したようなユーザが希望する商品を配送するようになされる。
【００２１】
この場合、金券として運用される前記印刷出力または通信回線を介して運用管理者側に伝送されるデータに、累積インクカートリッジカウンタの計数値に加えて、例えば記録装置に固有に割り当てられたプリンタＩＤコード、あるいは使用したインクカートリッジのＩＤコード等の情報も加えることで、運用管理者側はユーザが使用した記録装置の種類、インクカートリッジの種類やインク色等の使用実態を把握することができる。
【発明を実施するための最良の形態】
【００２２】
以下、この発明にかかるインクジェット式記録装置について、図に示す実施の形態に基づいて説明する。図１はこの発明が適用された記録装置本体の基本構成を斜視図によって示したものである。図１において符号１はキャリッジであり、このキャリッジ１はキャリッジモータ２により駆動されるタイミングベルト３を介し、ガイド部材４に案内されて紙送り部材５の長手方向に沿った主走査方向に往復移動されるように構成されている。
【００２３】
前記紙送り部材５には、紙送りローラ６が配置されており、この紙送りローラ６と図示せぬ従動ローラとによって挟まれた記録用紙７が、紙送りローラ６の回転駆動によって前記した主走査方向に直交する副走査方向に搬送されるように構成されている。この場合、前記紙送り部材５の上面には、多数の突起部５ａが長手方向に沿って間欠的に形成されており、記録用紙７はこの突起部５ａの上面に沿って搬送されることにより、後述する記録ヘッドとの間で所定のギャップが形成されるようになされる。
【００２４】
一方、前記キャリッジ１における記録用紙７に対向する下側面には、破線で示すようにインクジェット式記録ヘッド８が搭載されている。また、その上部には前記記録ヘッド８にインクを供給するブラックインクカートリッジ９Ｂ、およびシアン、マゼンタ、イエローの各インクをそれぞれ封入したカラーインクカートリッジ９Ｃ，９Ｍ，９Ｙがそれぞれ主走査方向に隣接するようにして着脱可能に装着されている。
【００２５】
図中符号１１は、非印刷領域（ホームポジション）に配置されたキャッピング手段であって、このキャッピング手段１１は前記記録ヘッド８が直上に移動した時に、上方に移動して記録ヘッドのノズル形成面（この実施の形態においては、記録ヘッド８の下側面）を封止することができるように構成されている。そしてキャッピング手段１１の下方には、キャッピング手段１１の内部空間に負圧を与えるための吸引ポンプ１２が配置されている。
【００２６】
前記キャッピング手段１１は、記録装置の休止期間中において、記録ヘッド８のノズル形成面を封止してノズル開口からのインク溶媒の蒸発を抑制させる蓋体として機能すると共に、前記吸引ポンプ１２からの負圧を記録ヘッド８に作用させて、記録ヘッドからインクを吸引排出させるクリーニング操作も実行できるように構成されている。
【００２７】
そして、図１に示すようにキャッピング手段１１に隣接した印刷領域側には、ゴムなどの弾性素材を短冊状に形成したワイピング部材１３が配置されていて、キャリッジ１がキャッピング手段１１側に往復移動する際に、必要に応じて記録ヘッドの移動経路に水平方向に進退し、記録ヘッド８のノズル形成面を払拭して清掃するワイピング動作がなされるように構成されている。
【００２８】
図１に示したようにこの実施の形態にかかる記録装置は、ブラックインクカートリッジ９Ｂと、シアン、マゼンタ、イエローの各カラーインクカートリッジ９Ｃ，９Ｍ，９Ｙがキャリッジ１上に着脱可能に装着されている。そして、図１にも現れているように、この実施の形態において用いられるブラックインクカートリッジ９Ｂは、各カラーインクカートリッジ９Ｃ，９Ｍ，９Ｙに比較すると若干その幅が大きく形成されている。また、各カラーインクカートリッジは、その外形形状は同一寸法となるように形成されている。
【００２９】
図２は、前記した記録装置に着脱可能に装着されるカラーインクカートリッジの構成を示したものであり、図２（Ａ）はカートリッジを一面方向から視た状態の斜視図で示しており、また、図２（Ｂ）はカートリッジを他面方向から視た状態の斜視図で示している。なお、この図２においては、カラーインクカートリッジは符号２１として示している。
【００３０】
前記カラーインクカートリッジ２１は、一方の面が開口した矩形状の有底箱型の容器本体２２と、この開口を封止する平板状の蓋体２３とを主体として構成されている。カートリッジ挿入方向の先端側、すなわち、この実施の形態においてはカートリッジの底面における長手方向の一端部寄りにインク供給口２４が形成されており、このインク供給口２４には、後述するインク供給針の挿通により開弁する図示しない弁体が収容されている。
【００３１】
また、カートリッジ２１の長手方向における側方にはそれぞれ係止部材２５，２６が容器本体２２と一体に形成されている。そして、インク供給口２４側に位置する係止部材２５は、その下端側を回動支点とし、かつ上部が外側に拡開された状態に形成されており、この係止部材２５の外側面には一条の突起部２５ａが形成され、後述するキャリッジに形成された係合用の凹部に係止できるようになされている。また、対向する他方の係止部材２６においても、同様に上部が外側に拡開された状態に形成されており、この係止部材２６の外側面には同様に一条の突起部２６ａが形成され、後述するキャリッジに形成された係合用の凹部に係止できるようになされている。
【００３２】
また、カートリッジの外郭を構成する容器本体２２には、その底部のほぼ中央にスリット状の空間部２７が形成されており、これをキャリッジに装着した場合において、キャリッジ内に形成された後述する位置決め用の凸片が前記空間部２７に相対的に入り込むことで、挿入を案内するとともに位置決めがなされるように構成されている。
【００３３】
さらに、前記したインク供給口２４側に配置された前記係止部材２５の下方部には、記憶手段として機能する不揮発性メモリ、例えばＥＥＰＲＯＭを搭載した回路基板２８が配置されており、この基板表面にはキャリッジに装着した場合において、キャリッジ側に配置された後述する電極端子に対して電気的に接触し得る複数の端子２８ａが形成されている。これにより、不揮発性メモリと記録装置との間でデータの授受がなされる。
【００３４】
なお、この実施の形態においては、前記基板２８に搭載された不揮発性メモリには、各インクカートリッジに固有に割り当てられたカートリッジＩＤコード、あるいは当該カートリッジに収容されたインクの色データ等が格納されている。
また、前記不揮発性メモリには、インクカートリッジが未使用であるか否かを示す装着フラグも格納することができるようになされている。
【００３５】
次に図３は、前記した記録装置に着脱可能に装着されるブラックインクカートリッジの構成を示したものであり、図３（Ａ）はカートリッジを一面方向から視た状態の斜視図で示しており、また、図３（Ｂ）はカートリッジを他面方向から視た状態の斜視図で示している。なお、ここではブラックインクカートリッジは符号３１として示している。
【００３６】
このブラックインクカートリッジ３１においては、基本的には図２に示したカラーインクカートリッジの構成と同様になされている。ただし、このブラックインクカートリッジの幅Ｗは、各カラーインクカートリッジの幅よりも若干大きくなされ、インクの収容量が増大されている。したがって、図３に示したブラックインクカートリッジ３１においては、図２に示したカラーインクカートリッジの各部に相当する部分を同一符号で示し、その符号の末尾にダッシュの符号（’）を追加して示している。したがって、このブラックインクカートリッジにおける各部の構成についての説明は省略する。
【００３７】
図４は、前記したブラックインクカートリッジおよび３つのカラーインクカートリッジが装着されるカートリッジホルダ（この実施の形態においては、キャリッジ）の構成を斜視図によって示したものである。図に示すように、キャリッジ１には、その一側に若干幅広の第１の装着領域４０が設けられ、これに隣り合うように同一幅の第２乃至第４の装着領域４１〜４３が、対向するように形成されたリブ４４〜４６，４７〜４９により区画されている。
【００３８】
この実施の形態においては、若干幅広の第１の装着領域４０に前記したブラックインクカートリッジが装着されるようになされる。また、第２乃至第４の装着領域４１〜４３には、シアン、マゼンタ、イエローの各カラーインクカートリッジが装着されるようになされる。
【００３９】
各カートリッジの装着領域における奥側の下底部には、中空状のインク供給針５２がそれぞれ直立状態に配置されており、これら各インク供給針５２を介して各カートリッジからのインクが、記録ヘッド８に供給できるように構成されている。また、キャリッジ１における下底部のほぼ中央部から、位置決め用の凸片５３がカートリッジの挿抜方向にそれぞれ突出して形成されている。
【００４０】
さらに、キャリッジ１における奥側の側壁には、各装着領域に臨むように電極端子５６が配置されており、前記各カートリッジが装着された場合において、各カートリッジに搭載された回路基板２８における端子２８ａに接触できるように構成されている。これにより、回路基板２８に搭載された不揮発性メモリからのデータの読み出しおよび書き込みを行うことができる。
【００４１】
一方、前記電極端子５６上部には、各カートリッジの一方の端面に形成された係止部材２５における突起部２５ａが係合される凹部５７が形成されている。また、図４には現れていないが、キャリッジ１における手前側の側壁にも、各カートリッジの他方の端面に形成された係止部材２６おける突起部２６ａが係合される同様の凹部が形成されている。
【００４２】
したがって、インクカートリッジ２１，３１に搭載された回路基板２８が、キャリッジ１の奥側に向くようにして、インクカートリッジをキャリッジ１内に挿入すると、インクカートリッジに形成されたスリット状の空間部２７内に、キャリッジ１の内底部から起立した凸片５３の先端部が挿入されるようになされる。
【００４３】
この状態で、カートリッジを押し込むと、カートリッジ２１は、スリット状の空間部２７内に相対的に進入される凸片５３にガイドされつつ、キャリッジ１の内底部に向かって挿入される。そして、カートリッジに形成された一対の係止部材２５，２６における各突起部２５ａ，２６ａが、キャリッジ１に形成された前記凹部に嵌まり込み、カートリッジ２１はキャリッジ１に対して装着される。この時、カートリッジを押し込む指先に明確なクリック感が伝わり、ユーザはカートリッジがキャリッジ１に確実に装着されたことを認識することができる。
【００４４】
この状態で、カートリッジの下底部に形成されたインク供給口２４が、キャリッジ１側に配置されたインク供給針５２に接合し、カートリッジより記録ヘッドに対してインクが供給し得る態勢になる。また、この時、カートリッジの側端部に搭載された回路基板２８における端子２８ａが、キャリッジ１側に配置された電極端子５６に接触し、回路基板２８に搭載された不揮発性メモリからのデータの読み出しおよび書き込みを行うことができる。
【００４５】
一方、カートリッジの交換等によりカートリッジをキャリッジ１から取り外す場合には、カートリッジに形成された前記係止部材２５を容器本体側に引き戻すようにして押圧すると、係止部材２５の突起２５ａがキャリッジ１側に形成された前記凹部５７から離れる。この状態で他方の係止部材２６の突起２６ａとキャリッジ１側に形成された図には現れていない前記凹部との係合を解かれ、カートリッジ１は図示せぬ板バネの付勢力により上方に押し出される。これにより、キャリッジよりカートリッジを取り出すことができる。
【００４６】
次に図５は、前記した構成の記録装置に搭載された制御回路の一例をブロック図によって示したものである。なお図５において、すでに説明した各部に相当する部分は同一符号で示しており、したがってその詳細な説明は省略する。図５に示す符号６０はホストコンピュータであり、このホストコンピュータ６０には、プリンタドライバ６１が搭載されている。そしてプリンタドライバ６１のユーティリティ上で、入力装置６２およびディスプレイ６３を利用して、周知の用紙サイズ、モノクロ／カラー印刷の選択、記録モードの選択、フォント等のデータおよび印刷指令等が入力できるように構成されている。
【００４７】
さらに、この実施の形態においては、プリンタドライバ６１のユーティリティ上において表示制御されるディスプレイ６３によって、後述する累積インクカートリッジカウンタの計数値を表示させることができる。また、後述する累積インクカートリッジカウンタの計数値が所定の値に達した時には、その情報をディスプレイ６３によって表示されるようにもなされている。
【００４８】
前記入力装置６２による印刷指令の入力により、プリンタドライバ６１からは、記録装置Ｐに搭載された印刷制御手段６４に対して印刷データが送出されるようになされる。この印刷制御手段６４は、前記ホストコンピュータ６０からの印刷データに基づいてビットマップデータを生成し、このデータに基づいてヘッド駆動信号を発生させて、キャリッジ１に搭載された記録ヘッド８からインク滴を吐出させる機能を備えている。
【００４９】
符号６５は中央制御手段であり、この中央制御手段６５は前記したホストコンピュータ６０との間で信号の授受がなされると共に、後述するようにインクカートリッジの使用量を管理するなどの機能を果たす。この中央制御手段６５には、インクカートリッジ着脱検出手段６６からの情報信号が供給されるように構成されており、インクカートリッジ着脱検出手段６６よりインクカートリッジの交換がなされたことを示す信号が供給された場合には、読み出し書き込み手段６７によって、インクカートリッジに搭載された不揮発性メモリ６８よりデータを取得すると共に、不揮発性メモリ６８において格納されているカートリッジ装着フラグの書き替え等を実行する。
【００５０】
また、中央制御手段６５には、累積インクカートリッジカウンタ６９が接続されている。このカウンタ６９は、装着されたインクカートリッジにおけるカートリッジ装着フラグが、未使用のカートリッジを示す場合（装着フラグがＯＦＦである場合）に、その計数値をインクリメントするようになされる。すなわち、前記中央制御手段６５は、未使用のインクカートリッジであることを判別する判別手段と、累積インクカートリッジカウンタ６９の計数値をインクリメントする制御手段としての機能を果たす。
【００５１】
さらに、中央制御手段６５には、カートリッジＩＤ格納部７０が接続されている。このカートリッジＩＤ格納部７０は、装着されたインクカートリッジにおけるカートリッジ装着フラグが、未使用のカートリッジを示す場合（装着フラグがＯＦＦである場合）に、各カートリッジに固有に割り当てられたカートリッジＩＤコードを、不揮発性メモリ６８より読み出し、前記格納部７０に格納する機能も備えている。
【００５２】
一方、前記したホストコンピュータ６０には、インターネット交信ソフト７１が搭載されており、インターネット網７２を介して運用管理者側のコンピュータ７３との間で、交信が可能となるようになされている。そして、前記ホストコンピュータ６０に搭載されたプリンタドライバ６１のユーティリティ上において、前記累積インクカートリッジカウンタ６９の計数値に応じた特典情報、カートリッジＩＤ格納部７０に格納されたカートリッジＩＤ等が編集され、インターネット網７２を介して運用管理者側のコンピュータ７３に対して、前記情報が伝送されるように構成されている。
【００５３】
すなわち、前記ホストコンピュータ６０に搭載されたプリンタドライバ６１は、編集手段としての機能を果たし、またホストコンピュータ６０に搭載されたインターネット交信ソフト７１は、通信手段としての機能を果たす。
【００５４】
図６は、以上のように構成された記録装置Ｐおよびホストコンピュータ６０によってなされる特典還元システムの運用形態を示すフローチャートである。すなわち、図６に示すフローはインクカートリッジが交換された場合にスタートする。これは、図５に示すインクカートリッジ着脱検出手段６６からの情報を中央制御手段６５が受けたことがトリガーとなる。
【００５５】
まず、ステップＳ１１においては、装着フラグがオンであるか否かが判定される。これは、装着されたインクカートリッジに搭載された前記不揮発性メモリ６８より、読み出し書き込み手段６７によって装着フラグが読み出され、この装着フラグを中央制御手段６５が認識することで判定される。ここで、装着されたインクカートリッジが未使用のものである場合には、装着フラグがオフ状態になされており、一度記録装置に装着した場合においては、装着フラグがオン状態になされている。
【００５６】
前記装着フラグを参照した結果、装着フラグがオンではない（Ｎｏ）と判定された場合には、ステップＳ１２に進み、装着フラグをオンさせる操作が実行される。これは、前記読み出し書き込み手段６７を介して、装着されたインクカートリッジに搭載された前記不揮発性メモリ６８に書き込まれる。これと同時にステップＳ１３に示すように、装着されたインクカートリッジのＩＤコードが、前記読み出し書き込み手段６７によって読み出され、このＩＤコードはカートリッジＩＤ格納部７０に格納される。このカートリッジＩＤコードには、例えば各インクカートリッジに固有に割り当てられたシリアルコード、カートリッジの種類やインクの色情報等が含まれている。
【００５７】
続いてステップＳ１４において、累積インクカートリッジカウンタ６９における計数値Ｃｔがインクリメントされ、これにより新しいカートリッジを利用した実績数が管理される。そして、ステップＳ１５において、中央制御手段６５は前記カウンタ６９における計数値Ｃｔが所定の値（例えば５０）に達したか否かを判定する。ここで、計数値Ｃｔが所定の値に達した（Ｙｅｓ）と判定された場合には、ステップＳ１６に進みユーザへの特典情報を編集する。
【００５８】
これは、中央制御手段６５よりホストコンピュータ６０に指令が出され、ホストコンピュータ６０は、これに搭載されたプリンタドライバ６１のユーティリティ上において、ユーザに対して伝達する特典情報を編集する。そして、ステップＳ１７に進みユーザに対して特典情報が提供される。なお、前記したステップＳ１７の運用ルーチンについては、後で詳細に説明する。
【００５９】
そして、ステップＳ１８において、累積インクカートリッジカウンタ６９の計数値Ｃｔはゼロリセットされる。これに続いて、ステップＳ１９に示すようにインクカートリッジの交換に伴うメンテナンスシーケンスが実行される。このメンテナンスシーケンスは、周知のように記録ヘッドのノズル形成面をキャッピング手段によって封止し、吸引ポンプによる負圧を印加することで、記録ヘッドよりインクを強制的に吸引排出させる操作がなされる。
【００６０】
なお、前記ステップＳ１１において、装着フラグがオンである（Ｙｅｓ）と判定された場合は、装着したインクカートリッジは既に使用された（一度記録装置に装着された）のものであることを意味するものであり、したがって、前記したステップＳ１９に進み、メンテナンスシーケンスが実行される。また、前記ステップＳ１５において、計数値Ｃｔが所定の値に達していない（Ｎｏ）と判定された場合においても、同様に前記したステップＳ１９に進み、メンテナンスシーケンスが実行される。
【００６１】
図７ないし図９はユーザに対して特典情報を提供する場合の第１の運用形態を説明するものである。すなわち、図６に示すステップＳ１７に示すユーザへの特典情報提供方法における第１の形態を示している。すなわち、この第１の運用形態においては、図７にその概念が示されているように、記録装置Ｐにおける累積インクカートリッジカウンタの計数値Ｃｔが、所定の値に達した場合においては、ユーザに特典を還元する情報をホストコンピュータ６０に伝達する。一方、ホストコンピュータ６０は、これに応えて金券を証明する画像を編集し、記録装置Ｐに対して、これをプリントアウトさせる制御が行われる。
【００６２】
図８は、その運用の流れを説明するものであり、ユーザに特典を還元する情報がホストコンピュータ６０に伝達された場合には、ホストコンピュータ６０においては、これに搭載されたプリンタドライバ６１のユーティリティ上において、特典情報の表示画像を編集し、ステップＳ２１として示すように、これをディスプレイ６３によって表示する。図９は、この時にディスプレイ６３によって表示される画像イメージを示している。ここで、ユーザはステップＳ２２に示すように、ディスプレイ上において希望する商品の選択および確認を実行する。すなわち、希望する商品が描かれたアイコンをクリックすることで、希望商品が選択される。
【００６３】
この操作に基づいて、ホストコンピュータ６０は、ステップＳ２３に示すようにプリンタドライバ６１のユーティリティ上において、金券を証明する画像を編集し、記録装置Ｐに対してこれをプリントアウトさせる指令を出力する。したがって、ステップＳ２４に示すようにユーザはプリントアウトされた金券を契約販売店等に持参することで、希望商品と交換することができる。
【００６４】
この場合、前記金券には前記累積インクカートリッジカウンタの計数値に対応する情報、例えばカートリッジをXX個使用した情報、またはこれに対応してユーザに還元する商品を示す情報が表示され、また、記録装置Ｐに固有に割り当てられたプリンタＩＤコードに対応する情報、さらに装着された各インクカートリッジに固有に割り当てられたカートリッジＩＤコードに対応する情報等が表示される。これらの表示は暗号化されていてもよい。そして、前記金券を回収した運用管理者側は、金券に表示された前記情報を集計することで、ユーザが使用した記録装置、インクカートリッジの種類やインク色等の使用実態を把握することができる。
【００６５】
なお、前記した金券は無二のものでなければならない。これを実現させるためには、前記編集手段により編集された特典情報は、例えば管理フラグ等を利用して１回限りプリント出力できるように構成することが望ましい。
【００６６】
次に、図１０ないし図１２はユーザに対して特典情報を提供する場合の第２の運用形態を説明するものである。すなわち、図６に示すステップＳ１７に示すユーザへの特典情報提供方法における第２の形態を示している。すなわち、この第２の運用形態においては、図１０にその概念が示されているように、記録装置Ｐにおける累積インクカートリッジカウンタの計数値Ｃｔが、所定の値に達した場合において、ユーザに特典を還元する情報をホストコンピュータ６０に伝達する。一方、ホストコンピュータ６０は、これに応えて通信回線、例えばインターネット網を介してユーザに与える特典情報を運用管理者側に伝送する。これに基づいて、運用管理者側よりユーザに対して商品を配送する手続きがとられる。
【００６７】
図１１は、その運用の流れを説明するものであり、ユーザに特典を還元する情報がホストコンピュータ６０に伝達された場合には、ホストコンピュータ６０においては、これに搭載されたプリンタドライバ６１のユーティリティ上において、特典情報の表示画像を編集し、ステップＳ３１として示すように、これをディスプレイ６３によって表示する。
【００６８】
図１２は、この時にディスプレイ６３によって表示される画像イメージを示している。ここで、ユーザはステップＳ３２に示すように、ディスプレイ上において希望する商品の選択および確認を実行する。すなわち、希望する商品が描かれたアイコンをクリックすることで、希望商品が選択される。
【００６９】
続いて、インターネットを利用して特典情報を運用管理者側に伝送しようとする場合には、画面上における「Ｙｅｓ」と表示されたボックスをクリックすることで、ステップＳ３４に示すようにインターネット交信ソフト７１が起動され、インターネット網７２を介して運用管理者側に情報が送信される。これにより、ステップＳ３５に示すように、運用管理者側よりユーザに対して商品を配送する手続きがとられる。
【００７０】
前記したインターネットを利用して、ユーザの特典情報を送信する場合においても、同様に前記累積インクカートリッジカウンタの計数値に対応する情報、例えばカートリッジをXX個使用した情報、またはこれに対応してユーザに還元する商品を示す情報、これに加えて、記録装置Ｐに固有に割り当てられたプリンタＩＤコードに対応する情報、さらに装着された各インクカートリッジに固有に割り当てられたカートリッジＩＤコードに対応する情報等が、運用管理者側のコンピュータ７３に伝送される。したがって、運用管理者側は、前記情報をコンピュータ７３で集計することで、ユーザが使用した記録装置、インクカートリッジの種類やインク色等の使用実態を把握することができる。
【００７１】
なお、以上説明した特典還元システムにおいては、記録装置における中央制御手段６５が累積インクカートリッジカウンタ６９の計数値を監視し、この計数値が所定の値に達したか否かを判定するようにしているが、この計数値の監視と判定は、ホストコンピュータに搭載されたプリンタドライバによって実行させてもよい。
【００７２】
また、以上説明した特典還元システムにおいて、金券を印刷出力する運用形態を採用する場合においては、必ずしもホストコンピュータを使う必要はない。例えば、記録装置にドットマトリックス表示装置を配置し、前記した中央制御手段６５内に、ドットマトリックス表示装置に表示させる画像の編集機能を持たせることで、前記した運用を実現させることもできる。
【００７３】
また、前記した特典還元システムにおいては、インクカートリッジの使用個数が所定の値に達した時に、ユーザに対して特典を還元するような運用形態を示しているが、インクカートリッジの使用個数に応じて、ユーザに対して還元する各種の商品を用意するか、または商品ではなく他の還元手段を採用するようにしてもよい。
【００７４】
以上の説明で明らかなとおり、この発明にかかるインクジェット式記録装置およびこれを用いた特典還元システムによると、記録装置に未使用のインクカートリッジが装着された場合に、未使用のインクカートリッジの装着回数を計数する累積インクカートリッジカウンタが備えられ、このカウンタの計数値に応じて、ユーザに対して特典を還元するようになされるので、ユーザはインクカートリッジの使用実績に応じた特典を享受することができる。また、この特典還元システムの運用管理者側においては、インクカートリッジの使用実績に基づく各種の有益なデータを取得することができるので、これをカートリッジの製造計画あるいは商品企画等に有効に生かすことができる。
【図面の簡単な説明】
【００７５】
【図１】この発明が適用されたインクジェット式記録装置の基本構成を示した斜視図である。
【図２】図１に示す記録装置に着脱可能に装着されるカラーインクカートリッジの外観構成例を示した斜視図である。
【図３】図１に示す記録装置に着脱可能に装着されるブラックインクカートリッジの外観構成例を示した斜視図である。
【図４】図１に示す記録装置のキャリッジに形成されたカートリッジホルダの構成例を示した斜視図である。
【図５】図１に示す記録装置に搭載された一部の制御回路例および外付けのホストコンピュータとの構築例を示したブロック図である。
【図６】図５に示す制御回路によってなされる動作フローを示したフローチャートである。
【図７】この発明にかかる特典還元システムの第１の運用形態を説明する概念図である。
【図８】特典還元システムの第１の運用形態における運用の流れを説明するフローチャートである。
【図９】特典還元システムの第１の運用形態において利用される画像表示例を示す概念図である。
【図１０】この発明にかかる特典還元システムの第２の運用形態を説明する概念図である。
【図１１】特典還元システムの第２の運用形態における運用の流れを説明するフローチャートである。
【図１２】特典還元システムの第２の運用形態において利用される画像表示例を示す概念図である。
【符号の説明】
【００７６】
１…キャリッジ、７…記録用紙、８…記録ヘッド、９Ｂ〜９Ｙ…インクカートリッジ、２１…カラーインクカートリッジ、２８，２８’…回路基板、３１…ブラックインクカートリッジ、５６…電極端子、６０…ホストコンピュータ、６１…プリンタドライバ、６２…入力装置、６３…ディスプレイ、６４…印刷制御手段、６５…中央制御手段、６６…インクカートリッジ着脱検出手段、６７…読み出し書き込み手段、６８…不揮発性メモリ（記憶手段）、６９…累積インクカートリッジカウンタ、７０…カートリッジＩＤ格納部、７１…インターネット交信ソフト、７２…インターネット網、７３…運用管理者側コンピュータ。
【図１】
2008024007.tif 000003
【図２】
2008024007.tif 000004
【図３】
2008024007.tif 000005
【図４】
2008024007.tif 000006
【図５】
2008024007.tif 000007
【図６】
2008024007.tif 000008
【図７】
2008024007.tif 000009
【図８】
2008024007.tif 000010
【図９】
2008024007.tif 000011
【図１０】
2008024007.tif 000012
【図１１】
2008024007.tif 000013
【図１２】
2008024007.tif 000014
【手続補正書】
【提出日】平成19年11月1日(2007.11.1)
【手続補正１】
【補正対象書類名】特許請求の範囲
【補正対象項目名】全文
【補正方法】変更
【補正の内容】
【特許請求の範囲】
【請求項１】
印刷データに基づく駆動信号によって、インクカートリッジから供給されたインクを吐出し、記録用紙に対して印刷を行うインクジェット式記録ヘッドを備え、前記インクカートリッジが未使用か否かを示すフラグ情報を記憶する記憶手段を具備した前記インクカートリッジが着脱可能であるインクジェット式記録装置を用いて、前記インクジェット式記録装置のユーザに特典を与えることができる特典還元システムであって、
前記インクカートリッジが前記インクジェット式記録装置に装着されたときに、前記フラグ情報に基づいて、当該インクカートリッジが未使用か否かを判定する判定手段と、
前記判定手段によって、装着された前記インクカートリッジが未使用であると判定された場合に、未使用のインクカートリッジの装着回数を計数する計数手段と、
前記計数手段の計数値に応じて特典情報を編集する編集手段と、前記編集手段により編集された特典情報を印刷出力することができる印刷制御手段と、を備えたことを特徴とする特典還元システム。
【請求項２】
前記インクカートリッジに搭載された記憶手段には、記録装置に装着した場合において、未使用のインクカートリッジではないことを示すために、オフ状態の前記フラグ情報が格納されるように構成した請求項１に記載の特典還元システム。
【請求項３】
印刷データに基づく駆動信号によって、インクカートリッジから供給されたインクを吐出し、記録用紙に対して印刷を行うインクジェット式記録ヘッドを備え、前記インクカートリッジが未使用か否かを示すフラグ情報を記憶する記憶手段を具備した前記インクカートリッジが着脱可能であるインクジェット式記録装置を用いて、前記インクジェット式記録装置のユーザに特典を与えることができる特典還元システムであって、
前記インクカートリッジが前記インクジェット式記録装置に装着されたときに、前記フラグ情報に基づいて、当該インクカートリッジが未使用か否かを判定する判定手段と、
前記判定手段によって、装着された前記インクカートリッジが未使用であると判定された場合に、未使用のインクカートリッジの装着回数を計数する計数手段と、
前記計数手段の計数値に応じて特典情報を編集する編集手段と、前記編集手段により編集された特典情報を通信回線を介して運用管理者側に送信することができる通信手段とを備えたことを特徴とする特典還元システム。
【請求項４】
前記編集手段が、ホストコンピュータに搭載されたプリンタドライバのユーティリティ上おいて構築されてなる請求項１または請求項３に記載の特典還元システム。
【請求項５】
前記編集手段により編集された特典情報は、１回限り印刷出力できるようになされた請求項１または請求項４に記載の特典還元システム。
【請求項６】
前記編集手段により編集する特典情報には、少なくとも前記計数手段の計数値に対応する情報が含まれる請求項１ないし請求項５のいずれかに記載の特典還元システム。
【請求項７】
前記編集手段により編集する特典情報には、前記記録装置に固有に割り当てられたプリンタＩＤコードに対応する情報と、装着された各インクカートリッジに固有に割り当てられたカートリッジＩＤコードに対応する情報がさらに含まれる請求項６に記載の特典還元システム。